【手続補正書】
【提出日】平成16年9月29日(2004.9.29)
【手続補正１】
【補正対象書類名】明細書
【補正対象項目名】特許請求の範囲
【補正方法】変更
【補正の内容】
【特許請求の範囲】
【請求項１】
画像データ供給源から供給された画像データに施す画像処理の特徴を示す仕上げ情報を得る情報取得手段と、
前記画像データ供給源から供給された画像データに対して設定され、前記情報取得手段によって取得された前記仕上げ情報に応じて補正された、前記画像データに施す、前記仕上げ情報に応じた特徴を持つ前記画像処理の第１の画像処理条件を設定する画像処理条件設定手段と、
前記画像処理条件設定手段によって設定された前記第１の画像処理条件に基づいて、前記画像データ供給源から受け取った画像データに、前記仕上げ情報に応じた特徴を持つ前記画像処理を施して出力用画像データとする画像処理手段と、
前記画像処理手段から出力用画像データを受け、この出力用画像データを記録してプリントとして出力する記録手段と、
前記記録手段によって前記仕上げ情報に応じた前記画像処理が施された画像が記録される前記プリントの裏面に、前記情報取得手段によって取得された前記仕上げ情報を含むバックプリントを記録する裏印字手段とを有することを特徴とする画像再現装置。
【請求項２】
さらに、前記仕上げ情報に対応する前記第１の画像処理条件の設定補助条件を記憶する第１の記憶手段を有し、
前記画像処理条件設定手段は、前記情報取得手段が取得した前記仕上げ情報に応じて、前記第１の記憶手段から対応する設定補助条件を読み出し、この設定補助条件に応じて、前記画像データ供給源から供給された画像データに対して設定される第２の画像処理条件を補正して、前記画像データに施す、前記仕上げ情報に応じた特徴を持つ前記画像処理の前記第１の画像処理条件を設定する請求項１に記載の画像再現装置。
【請求項３】
さらに、前記設定補助条件を変更する手段を有する請求項２に記載の画像再現装置。
【請求項４】
さらに、複数の仕上げ情報を組み合わせて、新たな仕上げ情報を作成する仕上げ情報作成手段を有する請求項１〜３のいずれかに記載の画像再現装置。
【請求項５】
さらに、前記仕上げ情報作成手段によって作成された前記複数の仕上げ情報を組み合わせた前記新たな仕上げ情報に対応する新たな設定補助条件を作成する設定補助条件作成手段を有する請求項４に記載の画像再現装置。
【請求項６】
前記裏印字手段は、前記仕上げ情報または前記仕上げ情報の識別情報を含むバックプリントを記録する請求項１〜５のいずれかに記載の画像再現装置。
【請求項７】
前記バックプリントは、色白、細身、赤目消し、工事写真、ポートレート、記念写真、集合写真、スポーツ、夜景、夜景ポートレート、シルエット、夕陽、雪、緑、クロスフィルタ、春、夏、秋、冬、初夏、クリスマス、正月、誕生日、赤ちゃん、結婚式、花、日焼け肌、ブロンドヘアー、ブラウンヘアー、黒人、白人、白黒、セピア、ソフトフォーカス、軟調、ポスタライズ、絵画調の少なくとも一つである請求項１〜６のいずれかに記載の画像再現装置。
【手続補正２】
【補正対象書類名】明細書
【補正対象項目名】０００９
【補正方法】変更
【補正の内容】
【０００９】
本発明の目的は、原稿を光電的に読み取り、あるいは画像データ供給源から画像データを受け取り、得られた画像データに画像処理を施し、前記原稿画像が再現されたプリントを出力するに際し、簡易な操作で、かつ確実に、ソフトフォーカス仕上げや軟調仕上げ等の特殊仕上げを施したプリントや、顧客の好みに応じた仕上げ処理を施した画像が再現されたプリントを出力することを可能にする画像再現装置を提供することにある。
【手続補正３】
【補正対象書類名】明細書
【補正対象項目名】００１０
【補正方法】変更
【補正の内容】
【００１０】
【課題を解決するための手段】
前記目的を達成するために、本発明の画像再現装置は、画像データ供給源から供給された画像データに施す画像処理の特徴を示す仕上げ情報を得る情報取得手段と、前記画像データ供給源から供給された画像データに対して設定され、前記情報取得手段によって取得された前記仕上げ情報に応じて補正された、前記画像データに施す、前記仕上げ情報に応じた特徴を持つ前記画像処理の第１の画像処理条件を設定する画像処理条件設定手段と、前記画像処理条件設定手段によって設定された前記第１の画像処理条件に基づいて、前記画像データ供給源から受け取った画像データに、前記仕上げ情報に応じた特徴を持つ前記画像処理を施して出力用画像データとする画像処理手段と、前記画像処理手段から出力用画像データを受け、この出力用画像データを記録してプリントとして出力する記録手段と、前記記録手段によって前記仕上げ情報に応じた前記画像処理が施された画像が記録される前記プリントの裏面に、前記情報取得手段によって取得された前記仕上げ情報を含むバックプリントを記録する裏印字手段とを有することを特徴とする画像再現装置を提供する。
さらに、前記本発明の画像再現装置において、前記仕上げ情報に対応する前記第１の画像処理条件の設定補助条件を記憶する第１の記憶手段を有し、前記画像処理条件設定手段は、前記情報取得手段が取得した前記仕上げ情報に応じて、前記第１の記憶手段から対応する設定補助条件を読み出し、この設定補助条件に応じて、前記画像データ供給源から供給された画像データに対して設定される第２の画像処理条件を補正して、前記画像データに施す、前記仕上げ情報に応じた特徴を持つ前記画像処理の前記第１の画像処理条件を設定することが好ましい。
【手続補正４】
【補正対象書類名】明細書
【補正対象項目名】００１１
【補正方法】変更
【補正の内容】
【００１１】
さらに、前記本発明の画像再現装置において、前記設定補助条件を変更する手段を有することが好ましい。
さらに、前記本発明の画像再現装置において、複数の仕上げ情報を組み合わせて、新たな仕上げ情報を作成する仕上げ情報作成手段を有することが好ましい。
【手続補正５】
【補正対象書類名】明細書
【補正対象項目名】００１２
【補正方法】変更
【補正の内容】
【００１２】
さらに、前記本発明の画像再現装置において、前記仕上げ情報作成手段によって作成された前記複数の仕上げ情報を組み合わせた前記新たな仕上げ情報に対応する新たな設定補助条件を作成する設定補助条件作成手段を有することが好ましい。
【手続補正６】
【補正対象書類名】明細書
【補正対象項目名】００１３
【補正方法】変更
【補正の内容】
【００１３】
さらに、前記本発明の画像再現装置において、前記裏印字手段は、前記仕上げ情報または前記仕上げ情報の識別情報を含むバックプリントを記録することが好ましい。
【手続補正７】
【補正対象書類名】明細書
【補正対象項目名】００１４
【補正方法】変更
【補正の内容】
【００１４】
さらに、前記本発明の画像再現装置において、前記バックプリントは、色白、細身、赤目消し、工事写真、ポートレート、記念写真、集合写真、スポーツ、夜景、夜景ポートレート、シルエット、夕陽、雪、緑、クロスフィルタ、春、夏、秋、冬、初夏、クリスマス、正月、誕生日、赤ちゃん、結婚式、花、日焼け肌、ブロンドヘアー、ブラウンヘアー、黒人、白人、白黒、セピア、ソフトフォーカス、軟調、ポスタライズ、絵画調の少なくとも一つであることが好ましい。
【手続補正８】
【補正対象書類名】明細書
【補正対象項目名】００４５
【補正方法】変更
【補正の内容】
【００４５】
条件メモリ１３０は、特徴的な画像処理の情報である仕上げ情報に応じた画像処理条件の設定補助条件（ある意味での画像処理のアシスト情報）を記憶する部位である。この設定補助条件は、後述するパラメータ統合部１３４によって読み出され、算出部１３２が算出した画像処理条件がこれに応じて補正され、また、ＭＴＸ演算部１１８等にパラメータとして設定される。
なお、仕上げ情報は、顧客の依頼に応じてオペレータがキーボード１８ａ等で入力してもよく、また、新写真システムのフィルムＦであればフィルムに記録された磁気情報を読み取ることによって取得してもよいのは前述のとおりであり、図示例においては、スキャナ１２（キャリア３０）やキーボード１８等から、パラメータ統合部１３４に送られる。
【手続補正９】
【補正対象書類名】明細書
【補正対象項目名】００４７
【補正方法】変更
【補正の内容】
【００４７】
条件メモリ１３０には、このような仕上げ情報に対する画像処理条件（あるいは、その他の処理条件に対する）の設定補助条件が記憶されている。
例えば、「細身」という仕上げ情報に対しては、変倍率の縦横比を１：０．９５にするという設定補助条件が記憶されている。
「色白」という仕上げ情報に対しては、顔濃度を濃度Ｄで０．１だけ低くする（−０．１する）という設定補助条件が記憶されている。
「黒人」、「白人」のような仕上げ情報に対しては、それぞれの人種で、理想的な色やディティールを有する肌の画像データや、被写体の肌を理想に近付けるようなＬＵＴの作成情報が記憶されている。同様に、「ブロンドヘアー」、「ブラウンヘアー」のような仕上げ情報に対しては、それぞれに対して、理想的な頭髪の画像データや、被写体の髪の毛を理想に近付けるようなＬＵＴの作成情報が記憶されている。
赤目消しの仕上げ情報に対しては、修正色情報、具体的には、顧客の人種に対応する最適な瞳の色（例えば、日本人であれば「黒」）が設定補助条件として記憶されており、公知の赤目消し方法、例えば、特開平５−１９３８２号公報に開示される方法で赤目消しの処理が施される。
工事写真では、多くの場合、白飛びや黒潰れがないことが望まれるので、工事写真の仕上げ情報に対しては、画像濃度ヒストグラムに基いて、白飛びや黒潰れが起きないようにダイナミックレンジの圧縮ＬＵＴの設定する情報が、設定補助条件として記憶されている（特開平９−１３０６０９号公報参照）。
ポートレート仕上げの仕上げ情報に対しては、階調を軟調に、シャープネスを弱めに画像処理条件を設定する情報が設定補助条件として記憶されている。なお、この際には、肌色領域のシャープネスのみを弱くするように設定を行うと、より好ましい。
集合写真は、高解像度であるのが好ましいので、集合写真の仕上げ情報に対しては、設定補助条件として、スキャナ１２における高解像度読取の指示情報が記憶されている。例えば、スキャナ１２のようにエリアＣＣＤを用いる場合には、画素ずらしによる高解像度読取を、ラインＣＣＤによる走査読取を行うスキャナでは、副走査速度を遅くすることによる高解像度読取を指示する（例えば、１／１．５とすれば、副走査方向の解像度は１．５倍となる）。
シルエットの仕上げ情報に対しては、仕上げ濃度を濃く、階調を固くするように画像処理条件を設定する情報が設定補助条件として記憶されている。
夕日の仕上げ情報に対しては、ロワードのセットアップ条件を設定する設定補助条件が記憶されている。
雪らしさを出すためには、青味の白が好まれるので、雪の仕上げ情報に対しては、ハイライトが青味となるように画像処理条件を設定する情報が設定補助条件として記憶されている。
さらに、緑の仕上げ情報に対しては、シャープネスを強め、緑の彩度が高くなるように画像処理条件を設定する情報が設定補助条件として記憶されている。
【手続補正１０】
【補正対象書類名】明細書
【補正対象項目名】００５７
【補正方法】変更
【補正の内容】
【００５７】
仕上げ情報に対する設定補助条件は、顧客毎に異なるものとしてもよい。
例えば、顧客Ａでは、「細身」では変倍率の縦横比を１：１（処理なし）で、「色白」では顔濃度を−０．１５とし、顧客Ｂでは、「細身」では変倍率の縦横比を１：０．９８で、「色白」では顔濃度−０．０８にする等、顧客の好み等に応じて、顧客毎に仕上げ情報に対する設定補助条件を設定してもよい。
【手続補正１１】
【補正対象書類名】明細書
【補正対象項目名】００６５
【補正方法】変更
【補正の内容】
【００６５】
なお、図示例においては、算出部１３２が算出した画像処理条件を設定補助条件に応じてパラメータ統合部１３４で補正する構成を有しているが、本発明はこの構成に限定はされず、画像処理条件の算出の際に設定補助条件を読み出し、設定補助条件を加味して画像処理条件を算出してもよい。
【手続補正１２】
【補正対象書類名】明細書
【補正対象項目名】００６７
【補正方法】変更
【補正の内容】
【００６７】
同時に、施した仕上げ情報を、顧客のデータベースに出力して記録し、あるいは、オペレータが顧客カードに記録してもよい。例えば、顧客データベース（顧客カード）に記録する際には、フィルム（カートリッジ）を識別するフィルムＩＤを記録し、これに対応して、仕上げ情報を入力した各コマ毎に、「コマ１−夜景ポートレート，赤目消し」、「コマ２−お見合い写真（＝細身＋色白＋ソフトフォーカス）」……、と記録すればよい。
また、図示例のような新写真システムのフィルムＦであれば、施した仕上げ処理の情報をスキャナ１２（キャリア３０）に出力して、フィルムＦに磁気記録してもよい。この際には、各コマごとの磁気トラックに、先のデータベースと同様に仕上げ情報を記録すればよい。
なお、これらの仕上げ情報は、ＩＤ化されている場合にはＩＤで記録してもよいのはもちろんである。
【手続補正１３】
【補正対象書類名】明細書
【補正対象項目名】００６９
【補正方法】変更
【補正の内容】
【００６９】
画像処理装置１４でこのような画像処理が施されて得られた出力用画像データは、前述のように、プリンタ１６（ドライバ１７０）に出力される。
【手続補正１４】
【補正対象書類名】明細書
【補正対象項目名】００７０
【補正方法】変更
【補正の内容】
【００７０】
図１１に、プリンタ１６の概略図が示される。
プリンタ１６は、ドライバ１７０、露光部１７２および現像部１７４を有して構成される。
画像処理装置１４から出力された画像データは、ドライバ１７０に送られる。ドライバ１７０は、画像データをＤ／Ａ変換してアナログ画像データとし、このアナログ画像データに応じて光ビームを変調するように、画像露光部６６の音響光学変調器（ＡＯＭ）１７６を駆動する。
【手続補正１５】
【補正対象書類名】明細書
【補正対象項目名】００７１
【補正方法】変更
【補正の内容】
【００７１】
露光部１７２は、光ビーム走査によって感光材料Ｚを走査露光して、前記画像データの画像を感光材料Ａに記録するもので、感光材料ＡのＲ感光層の露光に対応する光ビームを射出する光源１３８Ｒ、以下同様にＧ露光に対応する光源１３８Ｇ、およびＢ露光に対応する光源１３８Ｂの各光ビームの光源、各光源より射出された光ビームを、それぞれ記録画像に応じて変調するＡＯＭ１７６Ｒ、１７６Ｇおよび１７６Ｂ、光偏向器としてのポリゴンミラー１４０、ｆθレンズ１４２、感光材料Ａの副走査搬送手段を有する。
【手続補正１６】
【補正対象書類名】明細書
【補正対象項目名】００７２
【補正方法】変更
【補正の内容】
【００７２】
光源１３８より射出され、互いに相異なる角度で進行する各光ビームは、それぞれに対応するＡＯＭ１７６に入射する。各ＡＯＭ１７６には、ドライバ１７０より記録画像すなわち画像処理装置１４から供給された画像データに応じた、Ｒ、ＧおよびＢそれぞれの駆動信号が転送されており、入射した光ビームを記録画像に応じて変調する。
【手続補正１７】
【補正対象書類名】明細書
【補正対象項目名】００７３
【補正方法】変更
【補正の内容】
【００７３】
ＡＯＭ１７６によって変調された各光ビームは、ポリゴンミラー１４０の略同一点に入射して反射され、主走査方向（図中矢印ｘ方向）に偏向され、次いでｆθレンズ１４２によって所定の走査位置ｚに所定のビーム形状で結像するように調整され、感光材料Ａに入射する。なお、露光部１７２には、必要に応じて光ビームの整形手段や面倒れ補正光学系が配置されていてもよい。
【手続補正１８】
【補正対象書類名】明細書
【補正対象項目名】００７６
【補正方法】変更
【補正の内容】
【００７６】
露光を終了した感光材料Ａは、次いで搬送ローラ対１４６によって現像部１７４に搬入され、現像処理を施されプリントＰとされる。
ここで、例えば感光材料Ａが銀塩感光材料であれば、現像部１７４は発色現像槽１４８、漂白定着槽１５０、水洗槽１５２ａ、１５２ｂ、１５２ｃおよび１５２ｄ、乾燥部およびカッタ（図示省略）等より構成され、感光材料Ａはそれぞれの処理槽において所定の処理を施され、乾燥された後、カッタによってプリント１枚に対応する所定長に切断され、プリントＰとして出力される。
【手続補正１９】
【補正対象書類名】明細書
【補正対象項目名】００８８
【補正方法】変更
【補正の内容】
【００８８】
プリンタ１６においては、マガジンから引き出した感光材料Ａをプリントに応じた長さに切断し、裏印字装置１４３によってバックプリントを記録し、次いで、副走査方向に搬送しつつ、画像処理装置１４から送られた画像データに応じて変調して主走査方向に偏向した光ビームで走査露光を行い、潜像を形成する。
ここで、図示例の装置においては、仕上げ情報に応じた処理を施されたプリントＰでは、裏印字装置１４３によるバックプリントの記録によって、コマ番号等の規定の情報に加え、仕上げ情報（そのＩＤ）が記録される。
露光された感光材料Ａは、現像部１７４において、発色現像、漂白定着、水洗の各処理を順次施されて現像され、乾燥されて、プリントＰとされる。
【手続補正２０】
【補正対象書類名】明細書
【補正対象項目名】符号の説明
【補正方法】変更
【補正の内容】
【符号の説明】
１０  （デジタル）フォトプリンタ
１２  スキャナ
１４  画像処理装置
１６  プリンタ
３０  フィルムキャリア
３８  カートリッジ
４４  磁気トラック
７４  磁気ヘッド部
７８  読取ヘッド
１０８  （画像処理条件）設定装置
１１８  ＭＴＸ演算装置
１２０  ＬＵＴ−Ｓ
１２２  ボケマスク生成装置
１２４  ＬＵＴ−Ｌ
１２６  ＬＵＴ−Ａ
１２８  加算器
１４３  裏印字装置
１６０  テンプレイト・タイトル格納部
１６２  画像用メモリ
１６４  オーバーレイメモリ
１６６  画像合成部
１７０ ドライバ
１７２ 露光部
１７４ 現像部
【手続補正２１】
【補正対象書類名】図面
【補正対象項目名】図１１
【補正方法】変更
【補正の内容】
【図１１】
1998200671.tif 000001